(57)【特許請求の範囲】
【請求項１】
被監視拠点毎に、防犯・防災用センサー、施錠装置、照明装置および警報装置を含むセキュリティ設備と、コントローラとが配置され、前記セキュリティ設備は前記コントローラとデータ通信可能に接続され、前記被監視拠点のそれぞれの前記コントローラはインターネットまたは公衆電話網を介して管理サーバに接続されており、前記インターネットまたは前記公衆電話網には、携帯端末装置が、無線ＬＡＮまたは携帯電話網を介して接続されて、前記管理サーバとデータ通信可能になっており、前記被監視拠点において前記セキュリティ設備により異常が検知された場合、関係する前記携帯端末装置に対して異常が通報され、前記携帯端末装置を前記管理サーバに接続し、前記携帯端末装置によって、関係する前記被監視拠点の前記コントローラを通じて、前記セキュリティ設備の設定・解除および／または作動状態の確認を行うことができるセキュリティシステムにおいて、
前記被監視拠点毎に配置され、前記インターネットに接続されたルータと、
前記被監視拠点毎に配置され、ハブを介して前記ルータに接続された複数の監視カメラと、を備え、
前記携帯端末装置には、関係する前記被監視拠点の、前記ルータのＩＰアドレスおよびポート番号と、前記監視カメラのＩＤおよびパスワードとを含むアクセス情報が格納されており、
前記携帯端末装置を、前記アクセス情報に基づいて、前記管理サーバを経由せずに関係する前記被監視拠点の前記ルータに直接接続することで、前記携帯端末装置によって前記監視カメラを操作するとともに、前記監視カメラの映像データを前記携帯端末装置で受信し、前記携帯端末装置のディスプレイに表示するものであることを特徴とするセキュリティシステム。
【発明の詳細な説明】
【技術分野】
【０００１】
本発明は、セキュリティシステム、特に、被監視拠点において不法侵入や火災発生等の異常が検知された場合に、関係する携帯端末装置に対し異常の発生が通報されるとともに、監視カメラの映像が送信され、さらには、携帯端末装置によって、関係する被監視拠点のセキュリティ設備の設定・解除や作動状態の確認、並びに監視カメラの操作を行うことができるセキュリティシステムに関するものである。
【背景技術】
【０００２】
従来のセキュリティシステムの１例として、ホームセキュリティシステムがある（例えば、特許文献１参照）。従来のホームセキュリティシステムにおいては、各ユーザ宅に、防犯・防災用センサー、監視カメラ、施錠装置および警報装置が設置され、これらの装置が、同じく宅内に設置されたコントローラによって制御される。
【０００３】
また、各ユーザ宅のコントローラは通信ネットワークを介してセキュリティセンターの管理サーバに接続され、管理サーバは、各コントローラを通じて、センサーからの検出信号および監視カメラの映像をモニタし、不法侵入や火災発生等の異常が検出された場合、警報装置を作動させる。
【０００４】
また、各ユーザは、自己の携帯端末装置によって、セキュリティセンターの管理サーバにアクセス可能になっている。この場合、管理サーバには、各ユーザのＩＤおよびパスワードを含むユーザ登録情報が予め格納されていて、ユーザの携帯端末装置によるアクセスの際に、認証が行われる。
こうして、セキュリティセンターにおいてユーザ宅の異常が検知された場合には、ユーザの携帯端末装置に対して電子メールや音声通話によって異常の発生が通報され、次いで、監視カメラの映像が携帯端末装置に送信されてそのディスプレイに表示される。
【０００５】
さらに、従来のホームセキュリティシステムでは、ユーザが、出先で、携帯端末装置によってセキュリティセンターの管理サーバにアクセスし、自宅のコントローラを通じて、センサー、施錠装置および警報装置の設定・解除（またはオン・オフ）やそれらの装置の作動状態の確認を行い、あるいは監視カメラの操作を行うことができる。
【０００６】
ところで、このような従来のホームセキュリティシステムでは、携帯端末装置に送信される監視カメラの映像は鮮明ではない。そのため、ユーザは、出先で、監視カメラの映像によって異常発生の状況の確認はできるが、例えば、監視カメラの映像を通じて自宅のコントローラや、センサー、施錠装置および警報装置を目視しながら、現場にいるような感覚で、それらの装置の設定・解除（またはオン・オフ）を行い、あるいは作動状態の確認を行うことはできなかった。
【先行技術文献】
【特許文献】
【０００７】
【特許文献１】特開２００６−４８１７４号公報
【発明の概要】
【発明が解決しようとする課題】
【０００８】
したがって、本発明の課題は、セキュリティシステムにおいて、ユーザが、出先で、携帯端末装置のディスプレイの映像を通じて、自宅のセキュリティ設備を目視しながら、現場にいるような感覚で、セキュリティ設備の設定・解除（またはオン・オフ）を行い、あるいは作動状態を確認することができるようにすることにある。
【課題を解決するための手段】
【０００９】
上記課題を解決するため、本発明は、被監視拠点毎に、防犯・防災用センサー、施錠装置、照明装置および警報装置を含むセキュリティ設備と、コントローラとが配置され、前記セキュリティ設備は前記コントローラとデータ通信可能に接続され、前記被監視拠点のそれぞれの前記コントローラはインターネットまたは公衆電話網を介して管理サーバに接続されており、前記インターネットまたは前記公衆電話網には、携帯端末装置が、無線ＬＡＮまたは携帯電話網を介して接続されて、前記管理サーバとデータ通信可能になっており、前記被監視拠点において前記セキュリティ設備により異常が検知された場合、関係する前記携帯端末装置に対して異常が通報され、前記携帯端末装置を前記管理サーバに接続し、前記携帯端末装置によって、関係する前記被監視拠点の前記コントローラを通じて、前記セキュリティ設備の設定・解除および／または作動状態の確認を行うことができるセキュリティシステムにおいて、前記被監視拠点毎に配置され、前記インターネットに接続されたルータと、前記被監視拠点毎に配置され、ハブを介して前記ルータに接続された複数の監視カメラと、を備え、前記携帯端末装置には、関係する前記被監視拠点の、前記ルータのＩＰアドレスおよびポート番号と、前記監視カメラのＩＤおよびパスワードとを含むアクセス情報が格納されており、前記携帯端末装置を、前記アクセス情報に基づいて、前記管理サーバを経由せずに関係する前記被監視拠点の前記ルータに直接接続することで、前記携帯端末装置によって前記監視カメラを操作するとともに、前記監視カメラの映像データを前記携帯端末装置で受信し、前記携帯端末装置のディスプレイに表示するものであることを特徴とするセキュリティシステムを構成したものである。
【発明の効果】
【００１０】
本発明によれば、各被監視拠点に配置した、防犯・防災用センサー、施錠装置、照明装置および警報装置を含むセキュリティ設備を、コントローラを通じて、セキュリティセンターの管理サーバによって管理制御し、携帯端末装置およびセキュリティ設備間のデータ通信を管理サーバおよびコントローラを通じて行う一方、各被監視拠点に配置した監視カメラには、ルータを通じて関係する携帯端末装置が直接アクセス可能とし、監視カメラの操作および監視カメラの映像データの受信を携帯端末装置および監視カメラ間で行うようにした。
【００１１】
こうして、文字データよりもはるかにデータ量が大きい監視カメラの映像データの通信を、コントローラおよび管理サーバを経ずに、直接、監視カメラおよび携帯端末装置間で行うので、携帯端末装置に対して鮮明な映像を送信することができる。その結果、ユーザは、出先で、携帯端末装置のディスプレイの映像を通じて、被監視拠点のセキュリティ設備を目視しながら、現場にいるような感覚で、セキュリティ設備の設定・解除を行い、あるいは作動状態を確認することができる。
【００１２】
また、本発明によれば、携帯端末装置毎に、関係する被監視拠点の監視カメラにアクセスするためのアクセス情報が格納されるので、セキュリティセンターの管理サーバが万一不正にアクセスされても、それらの情報が外部に漏洩することが防止される。
【図面の簡単な説明】
【００１３】
【図１】本発明の１実施例によるセキュリティシステムの構成を示すブロック図である。
【図２】携帯端末装置のディスプレイ画面の１例を示す平面図である。
【図３】１台の監視カメラの操作によって３段階ズームインした場合に、順次、携帯端末装置にディスプレイ表示される映像を重ね合わせた平面図である。
【発明を実施するための形態】
【００１４】
以下、添付図面を参照して本発明の好ましい実施例について説明する。図１は、本発明の１実施例によるセキュリティシステムの構成を示すブロック図である。図１を参照して、本発明によれば、被監視拠点Ａ〜Ｄ毎に、防犯・防災用センサー２、施錠装置３、照明装置４および警報装置５を含むセキュリティ設備と、コントローラ１とが配置される。セキュリティ設備２〜５は、コントローラ１に対し、有線または無線によってデータ通信可能に接続される。
【００１５】
各被監視拠点Ａ〜Ｄのコントローラ１は、ルータ６およびハブ７を介してインターネット９に接続される。インターネット９には、また、セキュリティセンターの管理サーバ１０が接続される。管理サーバ１０は、各コントローラ１を通じて、センサー２からの検出信号をモニタし、不法侵入や火災発生等の異常が検出された場合、対応する照明装置４および警報装置５を作動させる。
【００１６】
また、インターネット９には、ＷｉＦｉ等の無線ＬＡＮまたは携帯電話網１１を介して携帯端末装置１２ａ〜１２ｄが接続されて、管理サーバ１０とデータ通信可能になっている。なお、図１中、１３は、１１が無線ＬＡＮの場合にはアクセスポイントであり、１１が携帯電話網の場合にはゲートウェイである。
携帯端末装置１２ａ〜１２ｄは、タブレット型コンピュータ、ＰＤＡまたは携帯電話機からなっている。
【００１７】
管理サーバ１０には、各被監視拠点Ａ〜ＤのユーザのＩＤおよびパスワードと、ユーザが使用する端末装置に係る電子メールアドレスおよび電話番号と、を含むユーザ登録情報が予め格納される。そして、この登録されたユーザのＩＤおよびパスワードを用いて、携帯端末装置１２ａ〜１２ｄが管理サーバ１０に接続する際に、管理サーバ１０による認証が行われ、許可されない携帯端末装置による管理サーバ１０への不正アクセスが防止される。
【００１８】
すなわち、携帯端末装置１２ａ〜１２ｄによるアクセスの際、管理サーバ１０が携帯端末装置１２ａ〜１２ｄから接続要求を受けたとき、それに応答して、管理サーバ１０から携帯端末装置１２ａ〜１２ｄに対しユーザのＩＤおよびパスワードの送信要求がなされる。これに応答して、携帯端末装置１２ａ〜１２ｄから管理サーバ１０にＩＤおよびパスワードが送信されると、管理サーバ１０において、予め格納されたユーザのＩＤおよびパスワードのデータが検索され、検索の結果、このデータ中に、携帯端末装置１２ａ〜１２ｄから受信したＩＤおよびパスワードに一致するものがあれば、当該携帯端末装置１２ａ〜１２ｄのアクセスが許可されるが、一致するものがなければ、アクセスは拒否される。
【００１９】
こうして、セキュリティセンターにおいて被監視拠点Ａ〜Ｄの異常が検知された場合には、管理サーバ１０から関係する携帯端末装置１２ａ〜１２ｄに対して電子メールおよび／または音声通話によって異常の発生が通報される。
また、携帯端末装置１２ａ〜１２ｄを管理サーバ１０に接続し、関係する被監視拠点Ａ〜Ｄのコントローラ１を通じて、セキュリティ設備２〜５の設定・解除（またはオン・オフ）やセキュリティ設備２〜５の作動状態の確認を行うことができる。
【００２０】
本発明によれば、また、各被監視拠点Ａ〜Ｄに、複数の監視カメラ８ａ〜８ｅが配置され、ハブ７を介してルータ６に接続される。この場合、監視カメラ８ａ〜８ｅはネットワークカメラからなっている。
【００２１】
携帯端末装置１２ａ〜１２ｄには、関係する被監視拠点Ａ〜Ｄの、ルータ６のＩＰアドレスおよびポート番号と、監視カメラ８ａ〜８ｅのＩＤおよびパスワードとを含むアクセス情報が格納されている。
このアクセス情報を用いて、携帯端末装置１２ａ〜１２ｄが関係する被監視拠点Ａ〜Ｄのルータ６に接続され、携帯端末装置１２ａ〜１２ｄによって監視カメラ８ａ〜８ｅが操作されるとともに、監視カメラ８ａ〜８ｅの映像データが携帯端末装置１２ａ〜１２ｄで受信され、携帯端末装置１２ａ〜１２ｄのディスプレイに表示される。この場合、被監視拠点Ａ〜Ｄのルータ６には、それに対するアクセス情報が格納された携帯端末装置１２ａ〜１２ｄしか接続することができないので、許可されない携帯端末装置による監視カメラ８ａ〜８ｅの不正操作を確実に防止できる。
【００２２】
携帯端末装置１２ａ〜１２ｄは、好ましくは、アップルコンピュータ社のｉＰａｄ（登録商標）のような、タッチパネル式ディスプレイを備えたタブレット型コンピュータからなっている。この場合、携帯端末装置１２ａ〜１２ｄが、管理サーバ１０を通じてコントローラ１に接続されるとともに、ルータ６に接続された状態で、携帯端末装置１２ａ〜１２ｄのディスプレイには、図２に示すような操作画面が表示される。図２において、ディスプレイ画面は縦方向に２画面に分割され、右側の画面領域には、上部にカメラ操作ボタン２０がマトリクス状に設けられ、下部左側の縦方向に並んでプリセットボタン２１が設けられ、下部中央の縦方向に並んでカメラ切替ボタン２２が設けられ、下部右側の縦方向に並んでセキュリティ設備設定・解除ボタン２３が設けられる。また、左側の画面領域には、監視カメラ８ａ〜８ｅの映像の表示領域２４が設けられる。
【００２３】
カメラ切替ボタン２２は、監視カメラ８ａ〜８ｅを選択するためのボタンであり、ボタン毎に、各１台の監視カメラが予め登録されている。なお、図２の実施例では、合計８台の監視カメラが選択可能になっている。
カメラ操作ボタン２０は、選択された監視カメラ８ａ〜８ｅを操作するためのボタンであり、「↑」ボタン、「↓」ボタン、「←」ボタンおよび「→」ボタンで、監視カメラを上下左右に首振り運動させることができ、「拡大」ボタンおよび「縮小」ボタンで、それぞれ、ズームインおよびズームアウトができる。また、「PAN SCAN」ボタンおよび「TILT SCAN」ボタンで、ドーム型カメラのような監視カメラを、それぞれ、水平回転および垂直回転させることができ、「写真」ボタンで、ディスプレイ画面をキャプチャすることができる。「ON」ボタンおよび「OFF」ボタンで、監視カメラをオン・オフできる。また、「HOME」ボタンで、監視カメラを初期設定状態に戻すことができる。
【００２４】
プリセットボタン２１は、選択した監視カメラ、当該監視カメラの姿勢、当該監視カメラのズームイン・アウトのレベルを予め登録しておき、ボタン１つの操作で当該監視カメラを作動させるためのボタンである。
セキュリティ設備設定・解除ボタン２３は、セキュリティ設備２〜５の設定・解除（またはオン・オフ）を行うためのボタンであり、ボタン毎に、設定・解除（またはオン・オフ）を行いたいセキュリティ設備２〜５が予め登録されている。なお、図２の実施例では、セキュリティ設備として、施錠装置３と照明装置４が登録されている。
【００２５】
そして、カメラ切替ボタン２２、カメラ操作ボタン２０およびプリセットボタン２１が押されると、それに対応する制御信号が、携帯端末装置１２ａ〜１２ｄから対応する監視カメラ８ａ〜８ｅに送信される一方、セキュリティ設備設定・解除ボタン２３が押されると、それに対応する制御信号が、携帯端末装置１２ａ〜１２ｄから対応するセキュリティ設備２〜５に送信される。
【００２６】
本発明のセキュリティシステムにおいては、セキュリティセンターの管理サーバ１０は、各コントローラ１を通じて、センサー２からの検出信号をモニタし、センサー２から不法侵入や火災発生等の異常を示す検出信号を受信したとき、関係するコントローラ１に対し、対応する照明装置４および警報装置５を作動させるための作動命令を送信する。管理サーバ１０は、さらに、予め格納された携帯端末装置１２ａ〜１２ｄに係る電子メールアドレスおよび電話番号のデータを検索し、該当する被監視拠点に関係する携帯端末装置１２ａ〜１２ｄに電子メールおよび／または音声通話によって異常の発生を通報する。
【００２７】
そして、ユーザの出先で、携帯端末装置１２ａ〜１２ｄに異常の発生が通報されたとき、携帯端末装置１２ａ〜１２ｄが、予め格納されたアクセス情報を用いて、該当する被監視拠点Ａ〜Ｄのルータ６に接続される。そして、当該被監視拠点Ａ〜Ｄの必要な監視カメラ８ａ〜８ｅが携帯端末装置１２ａ〜１２ｄのディスプレイ画面を通じて遠隔操作され、状況の確認がなされる。
【００２８】
また、ユーザが、出先から、被監視拠点Ａ〜Ｄの施錠装置３の設定・解除および／または照明装置４のオン・オフ、および／またはセキュリティ設備２〜５の作動状態の確認を行いたい場合には、携帯端末装置１２ａ〜１２ｄが、管理サーバ１０に接続されるとともに、ルータ６に接続される。
【００２９】
次いで、携帯端末装置１２ａ〜１２ｄの操作画面（図２参照）を通じて、対象となるセキュリティ設備２〜５に関係する監視カメラ８ａ〜８ｅが操作され、対象となるセキュリティ設備２〜５の操作部の拡大された鮮明な映像が、携帯端末装置１２ａ〜１２ｄの操作画面上に表示される。そして、ユーザは、この鮮明な映像を見ながら、携帯端末装置１２ａ〜１２ｄの操作画面を通じて、施錠装置３の設定・解除および／または照明装置４のオン・オフ、および／またはセキュリティ設備２〜５の作動状態の確認を行うことができる。
【００３０】
例えば、施錠装置３の設定・解除を行う場合には、携帯端末装置１２ａ〜１２ｄの操作画面のカメラ切替ボタン２２が押されて、この施錠装置３を撮影可能な監視カメラが選択され、その後、カメラ操作ボタン２０が押されて、姿勢が制御されるとともにズームイン操作されることによって、あるいは、プリセットボタン２１が押されることによって、施錠装置３の操作パネルが携帯端末装置の操作画面上に表示される。この状況を図３に示した。
そして、ユーザは、この鮮明な映像を通じて、施錠装置３の操作パネルを目視しながら、あたかも現場にいるような感覚で、携帯端末装置１２ａ〜１２ｄの操作画面のセキュリティ設備設定・解除ボタン２３を押すことによって、施錠装置３の設定・解除を行うことができる。
【００３１】
本発明のセキュリティシステムによれば、各被監視拠点Ａ〜Ｄのセキュリティ設備２〜５は、コントローラ１を通じて、セキュリティセンターの管理サーバ１０によって管理制御され、携帯端末装置１２ａ〜１２ｄおよびセキュリティ設備２〜５間のデータ通信が管理サーバ１０およびコントローラ１を通じて行われる一方、各被監視拠点Ａ〜Ｄの監視カメラ８ａ〜８ｅには、ルータ６を通じて関係する携帯端末装置１２ａ〜１２ｄが直接アクセス可能となっていて、監視カメラ８ａ〜８ｅの操作および監視カメラ８ａ〜８ｅの映像データの受信は携帯端末装置１２ａ〜１２ｄおよび監視カメラ８ａ〜８ｅ間で行われる。
【００３２】
こうして、文字データに比べはるかにデータ量が大きい監視カメラ８ａ〜８ｅの映像データは、コントローラ１および管理サーバ１０を経ずに、直接、携帯端末装置１２ａ〜１２ｄに送信されるので、携帯端末装置１２ａ〜１２ｄのディスプレイに鮮明な映像が表示される。それによって、ユーザは、出先で、携帯端末装置１２ａ〜１２ｄのディスプレイの映像を通じて、被監視拠点Ａ〜Ｄのセキュリティ設備２〜５を目視しながら、現場にいるような感覚で、セキュリティ設備２〜５の設定・解除を行い、あるいは作動状態を確認することができる。
【００３３】
また、本発明のセキュリティシステムにおいては、携帯端末装置１２ａ〜１２ｄ毎に、関係する被監視拠点Ａ〜Ｄの監視カメラ８ａ〜８ｅにアクセスするためのアクセス情報が格納されるので、セキュリティセンターの管理サーバ１０が万一不正にアクセスされた場合であっても、それらの情報が外部に漏洩することがない。
【００３４】
以上、本発明の好ましい１実施例について説明したが、本発明の構成は上述の実施例に限定されるものではなく、よって、本願の特許請求の範囲に記載の構成の範囲内で種々の変形例を案出することができる。
例えば、上記実施例では、各被監視拠点のコントローラがインターネットを介して管理サーバに接続されるが、各被監視拠点のコントローラを、ＩＳＤＮ網等の公衆電話回線を介して管理サーバに接続し、この公衆電話網を通じて、管理サーバおよび各コントローラ間のデータ通信を行う構成とすることもできる。
【符号の説明】
【００３５】
１  コントローラ
２  防犯・防災用センサー
３  施錠装置
４  照明装置
５  警報装置
６  ルータ
７  ハブ
８ａ〜８ｅ  監視カメラ
９  インターネット
１０  管理サーバ
１１  無線ＬＡＮまたは携帯電話網
１２ａ〜１２ｄ  携帯端末装置
１３  アクセスポイントまたはゲートウェイ
２０  カメラ操作ボタン
２１  プリセットボタン
２２  カメラ切替ボタン
２３  セキュリティ設備設定・解除ボタン
２４  カメラ映像表示領域
Ａ〜Ｄ  被監視拠点
【図１】
0005627092.tif 000002
【図２】
0005627092.tif 000003
【図３】
0005627092.tif 000004